【手続補正書】
【提出日】平成22年3月9日(2010.3.9)
【手続補正１】
【補正対象書類名】特許請求の範囲
【補正対象項目名】全文
【補正方法】変更
【補正の内容】
【特許請求の範囲】
【請求項１】
光学系を保持する鏡筒と、
前記鏡筒を、ミラーボックスの内側の開口形状が矩形の開口部が設けられた撮像部を有する撮影装置に取付ける鏡筒側バヨネットマウントとを有するレンズ鏡筒であって、
前記鏡筒側バヨネットマウントは、複数の鏡筒側マウント爪を有し、
前記複数の鏡筒側マウント爪のそれぞれは、前記撮影装置に取り付けられた状態において、前記矩形の開口部の全ての角を避けて前記矩形の開口部の辺の外側に備えられること、
を特徴とするレンズ鏡筒。
【請求項２】
光学系を保持する鏡筒と、
前記鏡筒を矩形のローパスフィルタを有する撮像部を有する撮影装置に取付ける鏡筒側バヨネットマウントとを有するレンズ鏡筒であって、
前記鏡筒側バヨネットマウントは、複数の鏡筒側マウント爪を有し、
前記複数の鏡筒側マウント爪のそれぞれは、前記撮影装置に取り付けられた状態において、前記矩形ローパスフィルタの全ての角を避けて前記矩形のローパスフィルタの辺の外側に備えられること、
を特徴とするレンズ鏡筒。
【請求項３】
請求項１または２に記載されたレンズ鏡筒であって、
前記撮像部と平行に備えられた鏡筒側取付け面を有し、
前記鏡筒側マウント爪は、前記鏡筒側取付け面と平行な平面に備えられること、
を特徴とするレンズ鏡筒。
【請求項４】
請求項１または２に記載されたレンズ鏡筒であって、
前記鏡筒側バヨネットマウントは、前記鏡筒側マウント爪と同一平面に備えられ、前記鏡筒側マウント爪を補強する補強部を含むこと、
を特徴とするレンズ鏡筒。
【請求項５】
請求項４に記載されたレンズ鏡筒であって、
前記補強部は、前記鏡筒側マウント爪と前記鏡筒側マウント爪との間に備えられていること、
を特徴とするレンズ鏡筒。
【請求項６】
請求項３に記載されたレンズ鏡筒であって、
前記鏡筒側マウント爪は、前記鏡筒側取付け面と前記撮像部との間に備えられること、
を特徴とするレンズ鏡筒。
【請求項７】
請求項１に記載されたレンズ鏡筒であって、
前記鏡筒側マウント爪は、前記矩形の開口部の対角線の長さよりも大きな直径の円周に沿って形成されていること、
を特徴とするレンズ鏡筒。
【請求項８】
請求項１または２に記載されたレンズ鏡筒であって、
前記光学系は、前記鏡筒側マウント爪よりも物体側に備えられていること、
を特徴とするレンズ鏡筒。
【請求項９】
ミラーボックスの内側の開口形状が矩形の開口部を有する撮像部と、
レンズ鏡筒を取付ける撮影装置側バヨネットマウントとを有する撮影装置であって、
前記撮影装置側バヨネットマウントは、複数の撮影装置側マウント爪を有し、
前記複数の撮影装置側マウント爪のそれぞれは、前記矩形の開口部の全ての角を避けて前記矩形の開口部の辺の外側に備えられること、
を特徴とするレンズ鏡筒。
【請求項１０】
撮影領域を有するカメラボディのボディ側取付部に対して着脱自在に装着される鏡筒側取付部と、
前記鏡筒側取付部の周方向に沿って少なくとも一カ所に形成され、前記ボディ側取付部の開口部から入り込み、前記ボディ側取付部の周方向に沿って少なくとも一カ所に形成してあるボディ側マウント爪に係合して抜け止めが成される鏡筒側マウント爪とを有し、
少なくとも前記鏡筒側マウント爪が、前記鏡筒側取付部に形成され、前記鏡筒側マウント爪は、前記カメラボディ内における被写体光が導かれる位置で、矩形形状開口の角を避けるように前記矩形形状開口の辺の外側に備えられるレンズ鏡筒。
【請求項１１】
請求項１０に記載のレンズ鏡筒であって、
前記カメラボディ内における被写体光が導入される光路空間の横断面が長方形であること、
を特徴とするレンズ鏡筒。
【請求項１２】
撮影領域と、
被写体光を、矩形形状開口を有する光路空間を通して導くミラーボックスと、
レンズ鏡筒の鏡筒側取付部が着脱自在に装着されるボディ側取付部とを有し、
前記ボディ側取付部において、前記レンズ鏡筒のマウント爪が入り込む開口部の円周方向の少なくとも一部には、前記鏡筒側マウント爪が係合するボディ側マウント爪が形成され、
前記ボディ側マウント爪は、前記矩形形状開口の角を避けるように前記矩形形状開口の辺の外側に備えられるカメラボディ。
【請求項１３】
請求項１２に記載のカメラボディであって、
前記光路空間の横断面が長方形であることを特徴とするカメラボディ。
【手続補正２】
【補正対象書類名】明細書
【補正対象項目名】発明の名称
【補正方法】変更
【補正の内容】
【発明の名称】レンズ鏡筒、撮影装置およびカメラボディ
【手続補正３】
【補正対象書類名】明細書
【補正対象項目名】０００１
【補正方法】変更
【補正の内容】
【０００１】
本発明は、レンズ鏡筒、撮影装置およびカメラボディに関する。
【手続補正４】
【補正対象書類名】明細書
【補正対象項目名】０００３
【補正方法】変更
【補正の内容】
【０００３】
本発明の課題は、反射光の影響を低減させることができるレンズ鏡筒、撮影装置およびカメラボディを提供することである。
【手続補正５】
【補正対象書類名】明細書
【補正対象項目名】０００４
【補正方法】変更
【補正の内容】
【０００４】
本実施例は、以下のような解決手段により前記課題を解決する。なお、理解を容易にするために、本発明の一実施例を示す図面に対応する符号を付して説明するが、これに限定されるものではない。
本実施例の第１の観点によるレンズ鏡筒は、光学系を保持する鏡筒と、前記鏡筒を、ミラーボックス（４０）の内側の開口形状が矩形の開口部（４０ａ）が設けられたる撮像部（３２）を有する撮影装置（３０）に取付ける鏡筒側バヨネットマウントとを有するレンズ鏡筒（１０）であって、前記鏡筒側バヨネットマウントは、複数の鏡筒側マウント爪（２２）を有し、前記複数の鏡筒側マウント爪（２２）のそれぞれは、前記撮影装置（３０）に取り付けられた状態において、前記矩形の開口部（４０ａ）の全ての角を避けて前記矩形の開口部（４０ａ）の辺の外側に備えられる。
本実施例の第２の観点によるレンズ鏡筒は、光学系を保持する鏡筒と、前記鏡筒を矩形のローパスフィルタ（３１）を有する撮像部（３２）を有する撮影装置（３０）に取付ける鏡筒側バヨネットマウントとを有するレンズ鏡筒（１０）であって、前記鏡筒側バヨネットマウントは、複数の鏡筒側マウント爪（２２）を有し、前記複数の鏡筒側マウント爪（２２）のそれぞれは、前記撮影装置（３０）に取り付けられた状態において、前記矩形ローパスフィルタ（３１）の全ての角を避けて前記矩形のローパスフィルタ（３１）の辺の外側に備えられる。
前記撮像部（３２）と平行に備えられた鏡筒側取付け面（１４）を有し、前記鏡筒側マウント爪（２２）は、前記鏡筒側取付け面（１４）と平行な平面に備えられていてもよい。
前記鏡筒側バヨネットマウントは、前記鏡筒側マウント爪（２２）と同一平面に備えられ、前記鏡筒側マウント爪（２２）を補強する補強部（１６）を含んでいてもよい。
前記補強部（１６）は、前記鏡筒側マウント爪（２２）と前記鏡筒側マウント爪（２２）との間に備えられていてもよい。
前記鏡筒側マウント爪（２２）は、前記鏡筒側取付け面（１４）と前記撮像部（３２）との間に備えられていてもよい。
前記鏡筒側マウント爪（２２）は、前記矩形の開口部（４０ａ）の対角線の長さよりも大きな直径の円周に沿って形成されていてもよい。
前記光学系は、前記鏡筒側マウント爪（２２）よりも物体側に備えられていてもよい。
本実施例の第３の観点による撮影装置は、ミラーボックス（４０）の内側の開口形状が矩形の開口部（４０ａ）を有する撮像部（３２）と、レンズ鏡筒（１０）を取付ける撮影装置側バヨネットマウントとを有する撮影装置（３０）であって、前記撮影装置（３０）側バヨネットマウントは、複数の撮影装置側マウント爪（６２）を有し、前記複数の撮影装置側マウント爪（６２）のそれぞれは、前記矩形の開口部（４０ａ）の全ての角を避けて前記矩形の開口部（４０ａ）の辺の外側に備えられる。
本実施例の第４の観点によるレンズ鏡筒は、撮影領域を有するカメラボディ（３０）のボディ側取付部（６０）に対して着脱自在に装着される鏡筒側取付部（１１）と、前記鏡筒側取付部（１１）の周方向に沿って少なくとも一カ所に形成され、前記ボディ側取付部（６０）の開口部（４０ａ）から入り込み、前記ボディ側取付部（６０）の周方向に沿って少なくとも一カ所に形成してあるボディ側マウント爪（６２）に係合して抜け止めが成される鏡筒側マウント爪（２２）とを有し、少なくとも前記鏡筒側マウント爪（２２）が、前記鏡筒側取付部（１１）に形成され、前記鏡筒側マウント爪（２２）は、前記カメラボディ（３０）内における被写体光が導かれる位置で、矩形形状開口の角（１１ａ，１１ｂ，１１ｃ，１１ｄ）を避けるように前記矩形形状開口の辺の外側に備えられる。
前記カメラボディ（３０）内における被写体光が導入される光路空間の横断面が長方形であってもよい。
本実施例の第５の観点によるカメラボディは、撮影領域と、被写体光を、矩形形状開口を有する光路空間を通して導くミラーボックス（４０）と、レンズ鏡筒（１０）の鏡筒側取付部（１１）が着脱自在に装着されるボディ側取付部（６０）とを有し、前記ボディ側取付部（６０）において、前記レンズ鏡筒（１０）のマウント爪が入り込む開口部（４０ａ）の円周方向の少なくとも一部には、前記鏡筒側マウント爪（２２）が係合するボディ側マウント爪（６２）が形成され、前記ボディ側マウント爪（６２）は、前記矩形形状開口の角を避けるように前記矩形形状開口の辺の外側に備えられるカメラボディ（３０）。
前記光路空間の横断面は長方形であってもよい。
なお、符号を付して説明した構成は適宜改良してもよく、また、少なくとも一部を他の構成物に代替してもよい。
【手続補正６】
【補正対象書類名】明細書
【補正対象項目名】０００５
【補正方法】変更
【補正の内容】
【０００５】
本実施例によれば、反射光の影響を低減させることができるレンズ鏡筒、撮影装置およびカメラボディを提供することができる。